(57)【要約】      （修正有）【課題】表示パネルの取付操作に手間が掛からず、また表示パネルの取付後においても、その取付位置の調整ができる自由度の高い様々な表現を可能にすることができる展示見本品台座を提供する。【解決手段】自動販売機の展示室内に陳列される特定の展示見本品１３を取り付ける取付部を箱体の上面に備え、前記箱体の外周に沿う少なくとも一辺には、特定の展示見本品１３に関連する表示内容が印刷された表示パネル２１を差し込んで取付ける差込溝２２〜２５を備えた展示見本品台座１１を構成する。【選択図】図２
2010015479.tif 000002
【特許請求の範囲】
【請求項１】
自動販売機の展示室内に陳列される特定の展示見本品を取り付ける取付部を箱体の上面に備え、
前記箱体の外周に沿う少なくとも一辺には、特定の展示見本品に関連する表示内容が印刷された表示パネルを差し込んで取付ける差込溝を備えた
展示見本品台座。
【請求項２】
前記差込溝を、
溝方向に沿って前記表示パネルの差込部分を波形に挟持する波形挟持溝により構成した
請求項１記載の展示見本品台座。
【請求項３】
前記波形挟持溝は、
溝内面から溝幅方向に突出させて溝幅空間を狭める凸部を、溝方向に沿って両側から交互に突出させて千鳥状に配置した
請求項１または２に記載の展示見本品台座。
【請求項４】
前記差込溝を、
箱体の前面下部に備えた
請求項１乃至３のうち何れか１項に記載の展示見本品台座。
【請求項５】
前記差込溝は、
箱体の外周に沿う少なくとも一辺に形成され、該溝方向の端部を箱体の外方に開放して設けた
請求項１乃至４のうち何れか１項に記載の展示見本品台座。
【請求項６】
前記箱体の複数個を連設または離間状態に配置して構成した
請求項１乃至５のうち何れか１項に記載の展示見本品台座。
【請求項７】
前記展示室内の壁面に、前記箱体を吸着させて固定する吸着固定手段を備えた
請求項１乃至６のうち何れか１項に記載の展示見本品台座。
【請求項８】
前記吸着固定手段を、
前記展示室内の壁面と対応する箱体の対応面側に、磁石を取り付ける磁石取付部を備え、該磁石取付部に取り付けられた磁石により箱体を展示室内の壁面に吸着固定する構成とした
請求項７に記載の展示見本品台座。
【発明の詳細な説明】
【技術分野】
【０００１】
この発明は、自動販売機の展示室内に陳列される展示見本品に関し、さらに詳しくは特定の展示見本品を消費者に注目させて展示することができる展示見本品台座に関する。
【背景技術】
【０００２】
一般に、自動販売機の前面に備えられる展示室内には、商品の選択や宣伝を目的として、多種類の商品の展示見本品が陳列されている。さらに、展示見本品を展示室に陳列するだけではなく、新商品、おすすめ商品等の特定の展示見本品については、その商品を消費者にアピールするために、宣伝効果を高めることを目的とする広告用の表示物（表示パネル）を自動販売機の前面に併設することがある。
【０００３】
近年では、自動販売機において、１つの新商品が登場してから次の新商品が登場するまでのサイクルが早まっている。新商品が登場した場合は、どの商品が新商品なのかをいち早く消費者に気付かせるため、より効果的なアピールが必要となっている。その他、季節、行事等に応じたおすすめ商品に対しても、販売促進を目的とする宣伝が必要になり、この宣伝が広告用の表示物により行われる場合が多くなっており、広告用の表示物を用いて商品をアピールすることの重要性は日々高まっている。
【０００４】
このような背景から、自動販売機の展示室においては、前記広告用の表示物の配置、デザイン等に応じて展示見本品の陳列状態を適宜変更可能な構成の取付構造が提案されている。
【０００５】
例えば、下記特許文献１においては、絵画等の意匠に応じ、展示商品取付金具を介して展示見本品（展示商品）を任意の位置に取付ることにより、展示商品、絵画意匠板を効果的に配置できるとされる取付構造が開示されている。
【０００６】
また、下記特許文献２においては、展示室内の背面基板として備えられる展示パネルの任意の位置に、展示見本品を載置した個々の展示台を取付けられるようにし、展示見本品の個数やその配置間隔等のレイアウトを任意に変更可能とする取付構造が開示されている。そして、この取付構造により、自動販売機のディスプレイ装置（前面）に展示される広告プレートのレイアウトを自由に設定できるとされている。
【０００７】
前記特許文献１、２に開示された取付構造では、広告用の絵画意匠表示物、広告プレート等の広告用の表示物を自動販売機の前面に併設することで消費者にアピール効果を得ようとするものではあるが、展示見本品の取付けと広告用の表示物の取付けとが各々独立しているため、これらに一体感がなく、宣伝広告が消費者に与えるインパクトは不十分なものであった。
【０００８】
つまり、上述した取付構造では、広告用の表示物による新商品、おすすめ商品のアピール効果が十分に得られないという問題を有する他、消費者は、前記広告用の表示物を見て、新商品、おすすめ商品が扱われていることに気付いたとしても、その広告用の表示物に描かれた宣伝対象商品に該当する展示見本品及び商品選択ボタンがどれなのかを探さなければならないという手間がある。
【０００９】
このようなことから、先行出願の特許文献３では、展示見本品の取付具として、展示見本品を取り付ける取付面と、その取付面を自動販売機の展示室内の任意の位置に固定する固定部と、取付面に広告用の表示物を取り付ける表示物取付部とを備えた取付具を提供している。これにより、展示室内の任意の位置に特定の展示見本品を固定でき、また特定の展示見本品を他の展示見本品よりも高い位置に設定して目立たせることができる。さらに、特定の展示見本品に広告用の表示物を一体的に取付けて商品のアピール効果を高め、消費者が容易に展示室の広告対象商品を購入できるようにしている。
【特許文献１】実開昭６２−８１２７５号公報
【特許文献２】特開２０００−１１２４４号公報
【特許文献３】特開２００７−３３４８１１号公報
【発明の開示】
【発明が解決しようとする課題】
【００１０】
しかし、前記特許文献３に開示された展示見本取付具では、広告用の表示物の取り付けに際して、広告用の表示物の下端に垂設させた複数のフックを、取付部に細長く開口された複数の嵌合孔にそれぞれ差し込んで取り付ける取付構造である。このため、広告用の表示物の取付操作に手間が掛かっていた。また、嵌合孔の位置が予め決められているため、広告用の表示物を取り付けた後は、該広告用の表示物の表示位置を動かすようなスライド調整ができず、展示室の内部空間での自由度の高い様々な表現を実現するのに限界が生じていた。
【００１１】
そこでこの発明は、表示パネルの取付操作に手間が掛からず、また表示パネルの取付後においても、その表示パネルを動かすことができる自由度の高い様々な表現を実現することができる展示見本品台座を提供することを目的とする。
【課題を解決するための手段】
【００１２】
この発明は、自動販売機の展示室内に陳列される特定の展示見本品を取り付ける取付部を箱体の上面に備え、前記箱体の外周に沿う少なくとも一辺には、特定の展示見本品に関連する表示内容が印刷された表示パネルを差し込んで取付ける差込溝を備えた展示見本品台座であることを特徴とする。
【００１３】
前記箱体は、例えば平面視正方形や長方形などの四角形状にて構成することができる。また、四角形状に限らず、平面視多角形や円形などにより構成してもよい。
【００１４】
この発明の実施態様として、前記差込溝を、溝方向に沿って前記表示パネルの差込部分を波形に挟持する波形挟持溝により構成することができる。
【００１５】
この発明の実施態様として、前記波形挟持溝は、溝内面から溝幅方向に突出させて溝幅空間を狭める凸部を、溝方向に沿って両側から交互に突出させて千鳥状に配置して構成することができる。
【００１６】
この発明の実施態様として、前記差込溝を、箱体の前面下部に備えて構成することができる。
【００１７】
この発明の実施態様として、前記差込溝は、箱体の外周に沿う少なくとも一辺に形成され、該溝方向の端部を箱体の外方に開放して設けることができる。
【００１８】
この発明の実施態様として、前記箱体の複数個を連設または離間状態に配置して構成することができる。
【００１９】
この発明の実施態様として、前記展示室内の壁面に、前記箱体を吸着させて固定する吸着固定手段を備えて構成することができる。
【００２０】
この発明の実施態様として、吸着固定手段は前記展示室内の壁面と対応する箱体の対応面側に、磁石を取り付ける磁石取付部を備え、該磁石取付部に取り付けられた磁石により箱体を展示室内の壁面に吸着固定する構成とすることができる。
【発明の効果】
【００２１】
この発明によれば、展示室内に配置された展示見本品台座の上面に取付けられた特定の展示見本品を、その台座の高さだけ上面が底上げされて高くなり、他の展示見本品よりも高い位置となるので目に映り易くなり、アイキャッチ効果を高めて特定の展示見本品を目立たせることができる。
【００２２】
さらに、展示見本品に関連する表示内容が印刷された表示パネルを取り付ける際は、展示見本品台座の差込溝に表示パネルを差し込むだけでよく、表示パネルに取付用のフックなどを要せず、簡単に取り付けることができる。ことに、表示パネルを差し込んで取り付けた取付後は、その表示パネルを溝方向にスライドさせて、該表示パネルの取付位置を溝方向にスライド調整することができる。よって、表示パネルは取付後においても取付位置の変更が可能になる。
【００２３】
また、展示見本品台座が四角形状の箱体であれば、その箱体周囲の４辺に形成された差込溝の何れかを選択して表示パネルを取り付けることができる。特に、４辺の差込溝を選択して、１枚だけでなく複数枚を併用した表示パネルの取り付けが可能であるため多様な組合せの広告表示が可能になる。この結果、展示室の内部空間での自由度の高い様々な表現を実現することができる。
【発明を実施するための最良の形態】
【００２４】
自動販売機が販売する販売対象商品の一例として、ここでは紙カップに飲料媒体を注いで販売するカップ飲料商品を販売対象商品とし、このカップ飲料商品を販売する場合についての実施の形態を以下、図面に基づいて説明する。
【実施例】
【００２５】
図面は展示見本品台座（以下、カップステージと称す）１１を示し、図１はこの発明の実施形態に係るカップステージ１１を採用した自動販売機１２を示す外観斜視図である。この自動販売機１２により販売されるカップ飲料商品をイメージさせた展示見本品(以下、展示カップと称す)１３の複数個が、自動販売機１２の上部前面に備えられた展示室１４に陳列されている。
【００２６】
展示室１４は、前面の透明な展示室パネル１５を介した内方に横長の内部空間が形成されている。この内部空間は内部の周囲壁面に背景面１６等が表示されている。展示室１４内の底面は横方向に略水平に形成されて展示カップ１３の搭載面１７となり、この搭載面１７に陳列される各展示カップ１３の位置に対応して、円形状の開口部１８が所定間隔毎に開口されている。
【００２７】
さらに、展示室１４の内部下方には、光源１９（例えば蛍光灯）を搭載面１７の開口部１８と対向させて配設している。これにより、光源１９は、開口部１８を通して、展示カップ１３を立体的に発光させ、展示カップ１３の周面に取り付けられたダミーラベル２０（図３参照）に印刷された意匠（例えば商標、文字、模様、図柄等）を明瞭に表示する。また、一定間隔毎に展示される各展示カップ１３と対応する展示室１４の前面下側の位置には商品選択ボタンＢが備えられている。
【００２８】
図２はカップステージ１１の使用状態を拡大して示す外観斜視図、図３はカップステージ１１に取り付けられる展示カップ１３と表示パネル２１とを分解して示す斜視図である。
【００２９】
カップステージ１１は、平面視正方形の箱体を有して形成され、該箱体の上面中央部に、前記搭載面１７の開口部１８と同様なカップ取付用の開口部１８が穿設されている。ここに展示カップ１３の下端が上方より差し込まれ、後述する回り止め構造(図４参照)により展示カップ１３がカップステージ１１に一体化して固定される。
【００３０】
さらに、箱体の外周に沿う４辺には、前面差込溝２２と、左側面差込溝２３と、右側面差込溝２４と、後面差込溝２５との各差込溝２２〜２５が形成されている。これらの差込溝２２〜２５は直線状の長い溝であり、ここに商品に関連する表示内容が印刷された表示パネル２１が差し込まれる。このうち、前面差込溝２２は、箱体の上面より低く形成し、ここに表示パネル２１が上方より差し込まれて取り付けられる。この際、該表示パネル２１が箱体の前面上部を覆って箱体の前面上部を隠すとともに、箱体の前面上部を表示領域とし、表示パネル２１の表示領域を広くとれるように設定している。なお、溝内の構造、及び溝内での表示パネル２１の挟持構造については図５〜図７で詳述する。また、前面差込溝２２と左側面差込溝２３と右側面差込溝２４は、箱体の上面に形成されている。箱体の下面は開放されており、下方の光源１９からの光が、その上方の開口部１８に向けて投光される。
【００３１】
展示カップ１３は、透光性を有する半透明の樹脂によりカップ状に形成され、この内周面または外周面に、色彩、模様、文字等が印刷されたシート状のダミーラベル２０が巻回されて取り付けられる。このダミーラベル２０は透光性を有する樹脂シートにより形成され、展示カップ１３の逆円錐状の周面であるテーパ面と対応する同形状に可撓変形可能な硬さ及び厚みを有している。
【００３２】
この展示カップ１３を、カップステージ１１に搭載する取付構造は、図４に示すように、展示カップ１３の下面に、円形に開口された採光窓４１と、該採光窓４１の下面側周縁部に突出する筒状部４２とが形成されている。筒状部４２は開口部１８に対して略垂直に差込み可能であって、開口部１８よりも下方に所定長さ突出される大きさ及び形状を有している。該筒状部４２は半割形状の一対により形成され、その半割形状の各一方の周端部に係止部４３を有している。そして、各係止部４３を、開口部１８の対向する周縁部に形成されている切欠き部４４に対して差込み可能であって、該係止部４３は開口部１８の裏面側周縁部に対して係止される大きさ及び形状を有している。
【００３３】
さらに、係止部４３と対向する半割形状の他方の各周端部には支持片４５を有している。そして、各支持片４５を、係止部４３に対して所定角度に偏心して形成すると共に、開口部１８の内周縁部に当接される係止解除状態と、切欠き部４４に係止される係止固定状態とに、筒状部４２の中心に向けて変位可能に、または可撓性を持たせるように形成している。
【００３４】
展示カップ１３をカップステージ１１の開口部１８に取り付ける際は、展示カップ１３の筒状部４２をカップステージ１１の開口部１８に差込み、筒状部４２の中心に対して対称に形成されている一対の係止部４３、４３を、同じく開口部１８に対称に形成されている一対の切欠き部４４，４４に挿入させ、支持片４５、４５を、開口部１８の内周縁部に当接させて、筒状部中心に向けて撓ませる。次に、展示カップ１３を水平回動して、係止部４３を、切欠き部４４の一端側４４ａに係止させ、支持片４５を、切欠き部４４の他端側４４ｂに係止させて、展示カップ１３を回止めすると共に、採光窓４１と開口部１８とを連通した状態に固定する。これにより、カップステージ１１に展示カップ１３を着脱可能にして取付けることができる。さらに、切欠き部４４の近傍位置の内周縁部には、展示カップ取付時に回転操作感触が得られる回転操作感触部４６を備えている。
【００３５】
なお、上述したカップステージ１１の開口部１８と、他の展示カップ１３の開口部１８との取付構造に際しても、同構造を有しているため、同様な操作にて取り付けることができる。
【００３６】
表示パネル２１は、展示カップ１３によりイメージされるカップ飲料商品が新商品やおすすめ商品であることを宣伝するためのシート状のパネルであり、カップステージ１１に取付けられた展示カップ１３の商品に関連した表示内容を印刷している。
【００３７】
例えば、カップステージ１１に取付けられた展示カップ１３の商品が清涼飲料水である場合、表示パネル２１には、爽やかな清涼感をイメージさせるべく、波、清流、水のしぶき等のイラストが印刷されたものが用いられる。また、展示カップ１３の商品がコーヒーである場合、表示パネル２１には、旨みやコクのある味わい深さをイメージさせるべく、コーヒー豆等のイラストが印刷されたものが用いられる。さらに、これらに加えて「スッキリさわやか」「至福のひととき」など宣伝の趣旨に適したキャッチフレーズを印字したものが使用される。
【００３８】
図５はカップステージ１１の平面図、図６(ａ)はカップステージ１１の側面図、図６(ｂ)は図５のＡ−Ａ線矢視断面図、図６(ｃ)は図５のＢ−Ｂ線矢視断面図、図７(ａ)は差込溝の要部拡大斜視図、図７(ｂ)は差込溝に表示パネルを差し込んだ状態を示す説明図である。
【００３９】
カップステージ１１の周囲４辺に沿う各差込溝２２〜２５は、図５に示すように、略同じ溝形状が施されている。このため、その１つの前面差込溝２２を例にとって説明する。この前面差込溝２２は所定の溝深さを有して直線状に形成され、溝間を隔てて対向する互いの溝内面５１から溝幅方向に突出させて溝幅空間を狭める凸部５２を、溝方向に沿って両側から交互に突出させた千鳥状に配置している。
【００４０】
これにより、前面差込溝２２の内部には溝方向に沿って波型の溝空間が形成され、ここに表示パネル２１の下端を差し込んだ場合に該表示パネル２１の下端を波形に挟持する波形挟持溝５３としての挟持機能を有している。この波形挟持溝５３は、千鳥状に配設される凸部５２が、ここに差し込まれる表示パネル２１の下端を波形に湾曲させることで、該凸部５２に接する表示パネル下端の接触抵抗を高めて表示パネル２１を溝内に固定する役目を有している。
【００４１】
具体的には、前面差込溝２２の内部空間に構成される波形挟持溝５３に差し込まれた表示パネル２１の下端は、波形挟持溝５３の溝空間において、溝内面５１と凸部５２とで挟持され、この挟持状態が交互に繰り返されて接触抵抗が高まり、これが表示パネル２１の下端を固定する固定手段及び抜止防止手段となる。このため、表示パネル２１を固定するためのフックなどの取付部材を要しなくなる。よって、作業者は、表示パネル２１の取り付けに際しては、カップステージ１１の前面差込溝２２に表示パネル２１を上方より垂直に差し込むだけでよく、簡単に取り付けることができる。
【００４２】
また、前面差込溝２２の溝幅間隔や溝深さ、及び凸部５２の突出量は、表示パネル２１の厚さやパネル表面の摩擦抵抗等を考慮して表示パネル２１の下端を安定して挟持できる値に設定する。さらに、凸部５２の千鳥状配置間隔においても、表示パネル２１の下端が比較的緩やかな波形状となる挟持状態に設定して、該表示パネル２１の平面形状を阻害しないようにしている。
【００４３】
さらに、前面差込溝２２の溝方向の両端を、カップステージ１１の外方に向けて開放させた開放部５３ａに設けている。これにより、前面差込溝２２に表示パネル２１を差し込んで取り付けた取付後において、その表示パネル２１を溝方向にスライドさせることができ、該表示パネル２１の取付位置を調整することができる。特に、開放部５３ａを有していることからカップステージ１１の一辺長さよりも長い横長の表示パネルを取り付けることが可能になる。
【００４４】
前面差込溝２２の溝形状と、他の左側面差込溝２３、右側面差込溝２４、後面差込溝２５との溝形状は略同じ溝形状を有しているため、その説明は省略する。このうち、前面差込溝２２と後面差込溝２５は横方向の表示領域が広くとれるため溝方向の両端は、図５及び図６(ａ)にも示すように、カップステージ１１の外方に向けて開放される開放部５３ａを有している。ところが、左側面差込溝２３と右側面差込溝２４は、前後方向に形成される溝のため、広くとると展示カップ１３の表示領域を妨げるため、溝方向の前端側は閉鎖し、後端側のみを開放させた開放部５３ａに設けている。
【００４５】
このような溝構造を備えることにより、カップステージ１１の周囲４辺に形成された差込溝２２〜２５の何れかを選択して表示パネル２１を取り付けることができる。特に、カップステージ１１の周囲４辺の差込溝２２〜２５を選択して、表示パネル２１を１枚だけでなく複数枚を併用した取り付けが可能になり、多様な組合せの広告表示が可能になる。このため、展示室１４の内部空間では自由度の高い様々な表現を実現することができる。
【００４６】
さらに、カップステージ１１の後面側には磁気によるカップステージ固定手段を備えている。この磁気によるカップステージ固定手段は、例えば後面差込溝２５の溝方向中央部に、磁石５４を収納する収納部５５を備えて構成したものである。この収納部５５は、図６(ｂ)及び図６(ｃ)にも示すように、後面差込溝２５の溝空間の底面５６と、溝空間の幅方向に対向する前側壁５７と、後側壁５８と、天板として後側壁５８から前側壁５７側に突出して設けられる舌片５９とで囲まれる縦長の箱形状の収納空間である。この収納部５５にメダル状等の磁石５４を上方より押し込んで収納させる。この磁石５４の収納に際しては、前側壁５７と舌片５９との間の溝隙間が磁石５４の受入口となり、その溝隙間に磁石５４を押し込めば、舌片５９が弾性変位して溝隙間が拡大するので収納部５５に収納させることができる。
【００４７】
展示室１４の背景面１６は磁性体の金属板で形成されていることが多く、カップステージ１１の磁石５４が備えられた背面側を、展示室１４の背景面１６に平面対応させた状態に配置すると、磁石５４の吸着力によりカップステージ１１を背景面１６の任意の位置に磁気吸着させて容易に固定することができる。なお、磁石５４の取付位置はカップステージ１１の後面に限らず、左右側面に備えさせてカップステージ１１の側面で固定するようにしてもよい。
【００４８】
そして、カップステージ１１を磁石５４の吸着力で展示室１４に固定設置した場合、図１に示すように、カップステージ１１の上面高さ位置を、搭載面１７よりも高い位置に設定することができる。よって、カップステージ１１に取付けられた特定の展示カップ１３は一段高くなり、他の展示カップ１３よりも目立たせることができる。
【００４９】
さらに、カップステージ１１において、ダミーラベル２０と、表示パネル２１とを、搭載面１７より一段高いカップステージ１１の高い位置に表示できるため、これらの両表示による相乗効果で特定の展示カップ１３を強調して表示することができる。さらに、展示カップ１３と表示パネル２１とを一体的にカップステージ１１に取付けることにより、カップステージ１１上で効率よくまとまってコンパクトに配置することができるため取扱いが容易であるほか、展示室１４内で分散しないため、消費者は宣伝対象商品としての特定の展示カップ１３が一目で解り、対応する商品選択ボタンＢを容易に特定することができる。このため、消費者は宣伝対象商品を容易に購入することができる。
【００５０】
また、磁石５４の代わりに吸盤等を用い、吸盤の吸着力を利用してカップステージ１１を背景面１６に固着することも可能である。但し、カップステージ１１を長時間に亘り保持させる場合には磁石５４が適している。
【００５１】
前記各差込溝２２〜２５に備えられる凸部５２は、図７(ａ)に拡大して示すように、凸部５２の上面を、溝内面５１から溝幅方向の中央に向けて斜め下方に傾斜させた傾斜ガイド面７１に設けている。これにより、差込溝２２〜２５に、表示パネル２１の下端が上方より垂直に差し込まれる場合に、表示パネル２１の下端が凸部５２の上面に当接しても、表示パネル２１の下端は傾斜ガイド面７１上を滑り、そのまま溝幅方向の中央に向けて受入れガイドされるため、溝内に容易に差し込ませることができる。
【００５２】
また、溝内に差し込まれた表示パネル２１は、図７(ｂ)に示すように、波形挟持溝５３に沿って波形の状態に挟持される。このため、ここに差し込まれた表示パネル２１の下端は波形空間に沿って波形状に変形する。よって、表示パネル２１は薄いシート状の可撓性を有するものが適している。表示パネル２１の下端にフックを設けるような加工を要せず、表示パネル２１の差込構造が簡素化するとともに、簡単に差し込むことができる。
【００５３】
このシート状の表示パネル２１を溝内で挟持するには、パネル厚さに対応させて溝幅寸法を定めればよいが、単に溝幅寸法を定めたり、狭くしたりするだけでは安定した挟持力や差し込んで取り付ける操作性の簡単化を図るのが難しくなる。このため、所望の挟持力を有し、しかも安定確実に固定するための一例として、凸部５２を千鳥状に配置するのが適している。つまり、表示パネル２１の差込時には、凸部５２の角部と擦れて接触抵抗が高まるため、差し込まれた表示パネル２１は溝に安定確実に取り付けられる。また、溝方向に表示パネル２１をスライドさせれば、差し込まれた状態のまま溝方向の任意の位置へとスライドさせることができる。さらに、広い溝間隔でよいので、表示パネル２１の差込操作に手間とらず、円滑に表示パネル２１を取り付けることができる。
【００５４】
図８及び図９はカップステージ１１の周囲４辺の差込溝２２〜２５に表示パネル２１を取り付けた各種の取付例を示す概略平面図である。  
図８(ａ)は前面差込溝２２に表示パネル２１を取り付けた状態を示す概略平面図、図８(ｂ)は後面差込溝２５に表示パネル２１を取り付けた状態を示す概略平面図、図８(ｃ)は左側面差込溝２３に表示パネル２１を取り付けた状態を示す概略平面図、図８(ｄ)は前面差込溝２２と後面差込溝２５との前後に表示パネル２１を取り付けた状態を示す概略平面図、図８(ｅ)はカップステージ１１の左側面差込溝２３と右側面差込溝２４との左右に表示パネル２１を取り付けた状態を示す概略平面図、図８(ｆ)は前面差込溝２２と左側面差込溝２３と後面差込溝２５とのコ形状で結ばれる３辺の差込溝２２，２３，２５に表示パネル２１を取り付けた状態を示す概略平面図、図８(ｇ)は前面差込溝２２に横長の表示パネル２１を取り付けた状態を示す概略平面図、図８(ｈ)は後面差込溝２５に横長の表示パネル２１を取り付けた状態を示す概略平面図である。
【００５５】
図９(ａ)は前面差込溝２２と後面差込溝２５との前後に横長の表示パネル２１を取り付けた状態を示す概略平面図、図９(ｂ)は２台のカップステージ１１を左右に連設して表示パネル２１を取り付けた状態を示す概略平面図、図９(ｃ)は２台のカップステージ１１を左右に離間させて配置した間を横長の表示パネル２１で掛け渡して取り付けた状態を示す概略平面図、図９(ｄ)は３台のカップステージ１１を山形状に積んで前面差込溝２２に表示パネル２１を取り付けた状態を示す概略平面図である。
【００５６】
例えば、前記した図２の表示パネル２１にあっては、図８(ａ)に示したカップステージ１１の前面差込溝２２に表示パネル２１を取り付けた取付例に該当する。ここに用いられる表示パネル２１は、カップステージ１１の前面側より立ち上がり、この前面側より立ち上がったパネルの前面に、商品に関連する図柄等の特有の意匠を表示し、消費者に宣伝対象商品である旨を強調して表示している。さらに、表示パネル２１をカップステージ１１の高い位置に表示できるので、一際目立たせることができる。これにより、表示パネル２１とダミーラベル２０との両表示による相乗効果で消費者に対する訴求力を高めることができ、特定の展示カップ１３を消費者に十分にアピールすることができる。
【００５７】
図１０(ａ)はカップステージ１１に取り付けられる展示カップ１３と表示パネル２１とを分解して示す斜視図、図１０(ｂ)はカップステージ１１の使用状態を示す外観斜視図である。  
この表示パネル２１は、図８(ｄ)に示したカップステージ１１の前面差込溝２２と後面差込溝２５との前後に表示パネル２１を差し込んで取り付けた取付例に該当する。ここに用いられる表示パネル２１は１枚の縦長のパネルであり、表面には販売商品に関連する情報、例えばコーヒー豆等のイラスト１０１が印刷されている。さらに、中央にはパネル開口部１０２を、上端縁には切欠模様部１０３を打ち抜き形成して設けている。この表示パネル２１を折曲げて組立てた状態では、垂直な前面１０４と水平面１０５と垂直な後面１０６との３面を有する椅子型状に構成される。このうち、垂直な前面１０４の下部を前差込部１０７としてカップステージ１１の前面差込溝２２に差し込み、また垂直な後面１０６の下部を後差込部１０８としてカップステージ１１の後面差込溝２５に差し込むことで、表示パネル２１はカップステージ１１の上面に一体に取り付けられる。
【００５８】
これにより、１枚の表示パネル２１に２か所の差込部１０７，１０８を持たせることができ、図１０(ｂ)に示すように、カップステージ１１に展示カップ１３を取り付けた状態では、カップステージ１１の前面１０４、上面１０５及び後面１０６との３面を宣伝対象商品のイラスト１０１面として表示することができる。さらに、カップステージ１１の高い位置で表示パネル２１とともに、特定の展示カップ１３を表示できるため、アイキャッチ効果を高めて特定の展示カップ１３を一際目立たせることができる。
【００５９】
図１１(ａ)はカップステージ１１に取り付けられる展示カップ１３と表示パネル２１とを分解して示す斜視図、図１１(ｂ)はカップステージ１１の使用状態を示す外観斜視図である。  
この表示パネル２１は、図８(ｄ)に示した取付例に該当する１枚の縦長のパネルであり、表面には商品に関連する情報、例えば清涼飲料水をイメージさせる図柄及び「スッキリさわやか」等のキャッチフレーズを付加したイラスト１１１が印刷されている。さらに、中央にはパネル開口部１１２を、両側縁には切欠模様部１１２を打ち抜き形成して設けている。そして、この表示パネル２１の中央部を湾曲させた中膨らみ状態にして折曲げ、折曲げ後は垂直な前面１１４と中央湾曲面１１５と、垂直な後面１１６との３面を有する逆Ｕ字形状に構成される。このうち、垂直な前面１１４の下部を前差込部１１７としてカップステージ１１の前面差込溝２２に差し込み、また垂直な後面１１６の下部を後差込部１１８としてカップステージ１１の後面差込溝２５に差し込むことで、表示パネル２１はカップステージ１１の上面に一体に取り付けられる。
【００６０】
これにより、１枚の表示パネル２１に２か所の差込部１１７，１１８を持たせて該表示パネル２１をカップステージ１１に安定して取り付けることができる。さらに、図１１(ｂ)に示すように、カップステージ１１に展示カップ１３を取り付けた状態では、カップステージ１１の前面１１４、及び中央湾曲面１１５をイラスト１１１面として表示することができる。特に、中央湾曲面１１５の湾曲面とイラスト１１１面との相乗効果で特有な表現ができる。さらに、カップステージ１１の高い位置で表示パネル２１とともに、展示カップ１３を表示できるため、特定の展示カップ１３の爽やか感を増大させるなど自由度の高い表現ができる。
【００６１】
図１２(ａ)は両側に表示パネル２１面を有するカップステージ１１の使用状態を示す外観斜視図、図１２(ｂ)はコ型状の表示パネル２１を有するカップステージ１１の使用状態を示す外観斜視図である。  
図１２(ａ)に示す表示パネル２１は、図８(ｅ)に示した取付例に該当するパネルであり、表面には商品に関連する情報、例えばコーヒー豆等のイラスト１２１ａが印刷されている。そして、パネル前端縁から上端縁にかけて凹凸模様が切欠き形成された切欠模様部１２２ａを有する左側面１２３ａと右側面１２４ａと、左右側面１２３ａ，１２４ａの上部間を前面側で掛け渡した帯状のキャッチフレーズ帯部１２５ａとを打ち抜き形成して設けている。この前面上部に目立って表示されるキャッチフレーズ帯部１２５ａにはコーヒー飲料のイメージに適したキャッチフレーズ、例えば「至福のひととき」等を表示させる。さらに、キャッチフレーズ帯部１２５ａが正面中央部に位置するように平面視コ形状に折曲げて組立てる。このうち、垂直な左側面１２３ａの下部を左差込部１２６ａとしてカップステージ１１の左側面差込溝２３に差し込み、また垂直な右側面１２４ａの下部を右差込部１２７ａとしてカップステージ１１の右側面差込溝２４に差し込むことで、表示パネル２１はカップステージ１１の上面に一体に取り付けられる。
【００６２】
これにより、１枚の表示パネル２１の左右側面１２３ａ，１２４ａと、前面であるキャッチフレーズ帯部１２５ａとの３面をイラスト１２１ｂ面として表示することができる。特に、展示カップ１３の両側を左右側面１２３ａ，１２４ａで遮るように囲み、しかも前面であるキャッチフレーズ帯部１２５ａにより商品に関連した文字情報を表示できるため、これらを組合わせた相乗効果で表示パネル２１は自由度の高い特有な表現ができる。また、展示カップ１３及び表示パネル２１がカップステージ１１と一体化した後は、カップステージ１１の高い位置で表示パネル２１を表示できるとともに、該表示パネル２１によって、他の商品と明確に区別でき、特別な商品であることを示唆して特定の展示カップ１３を一際目立たせることができる。
【００６３】
図１２(ｂ)に示す表示パネル２１は、図８(ｆ)に示した取付例に該当するパネルであり、表面には商品に関連する情報、例えばコーヒー豆等のイラスト１２１ｂが印刷されている。さらに、表示パネル２１の後面上端縁から前面上端縁にかけて前下がりに傾斜させた上端縁に凹凸模様を切欠き形成した切欠模様部１２２ｂを打ち抜き形成して設けている。そして、この表示パネル２１を平面視コ形状に折曲げて垂直な前面１２３ｂと、垂直な左側面１２４ｂと、垂直な後面１２５ｂとの３面をコ形に連ならせて構成する。そして、これら各面１２３ｂ，１２４ｂ，１２５ｂの下部を差込部１２６ｂとしてカップステージ１１の前面差込溝２２と左側面差込溝２３と後面差込溝２５とにそれぞれに差し込むことで、表示パネル２１はカップステージ１１の上面にコ形状に一体に取り付けられる。さらに、垂直な前面１２３ｂにはイラスト１２１ｂだけでなく、「至福のひととき」等のキャッチフレーズによる商品情報をも印刷して表示することができる。
【００６４】
これにより、１枚の表示パネル２１の前面１２３ｂと左側面１２４ｂと後面１２５ｂとの３面をイラスト１２１ｂ面として表示することができる。特に、展示カップ１３の周囲を、高低差を有して包むように表示パネル２１を表示させるため自由度の高い特有な表現ができる。また、カップステージ１１と一体化した後は、カップステージ１１の高い位置で表示パネル２１を表示できるとともに、該表示パネル２１によって、アイキャッチ効果を高め、展示カップ１３を一際目立たせることができる。
【００６５】
図１３(ａ)はカップステージ１１に取り付けられる横長の表示パネル２１の使用状態を示す外観斜視図、図１３(ｂ)は左右スペースを大きくとった横長の表示パネル２１の使用状態を示す外観斜視図である。  
図１３(ａ)の表示パネル２１は、図８(ｇ)に示した取付例に該当する横長のパネルであり、前面には商品に関連する情報、例えば清涼飲料水をイメージさせるイラスト１３１ａが印刷されている。さらに、パネル上端縁を波形状に切欠いた切欠模様部１３２ａを打ち抜き形成して設けている。そして、該表示パネル２１の垂直な前面１３３ａの下部を前差込部１３４ａとしてカップステージ１１の前面差込溝２２に差し込むことで、表示パネル２１はカップステージ１１の前面に一体に取り付けられる。
【００６６】
これにより、１枚の表示パネル２１であっても、横長に大きく延びた前面をイラスト１３１ａ面として表示することができる。特に、中央部の特定の展示カップ１３を、カップステージ１１の高い位置で表示できるとともに、その両側に配置される他の展示カップ１３はカップステージ高さ分だけ低くなる。このため、表示パネル２１のイラスト１３１ａとの相乗効果によって自由度の高い特有な表現ができ、中央の特定の展示カップ１３だけが一際目立って表示されることになる。
【００６７】
図１３(ｂ)に示す表示パネル２１は、図８(ｇ)に示した取付例に該当するパネルであり、表面には商品に関連する情報、例えばコーヒー豆等のイラスト１３１ｂが印刷されている。さらに、中央にはパネル開口部１３２ｂを打ち抜き形成して設けている。そして、この表示パネル２１を折曲げて垂直な前面１３３ｂと、水平な上面１３４ｂとの２面を有するＬ形状に構成する。このうち、垂直な前面１３３ｂの下部を差込部１３５ｂとしてカップステージ１１の前面差込溝２２に差し込むことで、表示パネル２１はカップステージ１１の前面及び上面を覆って取り付けられる。さらに、垂直な前面１３３ｂに対しては商品に関連する例えば「ちょっと息抜きしませんか？」などのキャッチフレーズを表示することができる。
【００６８】
これにより、表示パネル２１は横長で表示領域が広くとれるため、前面１３３ｂには商品に関連する豊富なキャッチフレーズを表現できる。また、上面１３４ｂには横長の広い上面領域となり、この広い上面領域に渡ってイラスト１３１ｂを表現ができる。さらに、特定の展示カップ１３を、カップステージ１１の高い位置で表示できるとともに、横長の表示パネル２１のイラスト１３１ｂとの相乗効果で自由度の高い特有な表現ができ、展示カップ１３を一際目立たせることができる。
【００６９】
図１４(ａ)はカップステージ１１に取り付けられる２枚の表示パネル２１Ａ，２１Ｂを分解して示す斜視図、図１４(ｂ)は２台のカップステージ１１に取り付けられる２枚の表示パネル２１Ｃ，２１Ｄを分解して示す斜視図である。  
図１４(ａ)に示す２枚の表示パネル２１Ａ，２１Ｂは、図９(ａ)に示した取付例に該当するパネルであり、前面に商品に関連する情報、例えばコーヒー豆等のイラスト１４１ａが印刷された比較的高さが抑えられた低い垂直パネルとしての横長の前面表示パネル２１Ａと、同じくコーヒー豆等のイラスト１４１ａが印刷された比較的高い垂直パネルとしての横長の後面表示パネル２１Ｂとの２枚を組み合わせて使用するものである。従って、前面表示パネル２１Ａはその下部を前差込部１４２ａとしてカップステージ１１の前面差込溝２２に差し込み、また後面表示パネル２１Ｂの下部を後差込部１４３ａとしてカップステージ１１の後面差込溝２５に差し込むことで、各表示パネル２１Ａ，２１Ｂはカップステージ１１に一体に取り付けられる。
【００７０】
これにより、正面視左右方向に長い表示面積を有する２枚の表示パネル２１Ａ，２１Ｂを取り付けることができる。特に、２枚の表示パネル２１Ａ，２１Ｂを取り付けることによりカップステージ１１の前面を表示するだけでなく、後面差込溝２５から立ち上げてカップステージ１１の後面側を広い領域で表示することができる。よって、カップステージ１１に展示カップ１３を取り付けた状態では、カップステージ１１の前面及び後面側の上方をイラスト１４１ａ面として表現豊かに表示することができる。
【００７１】
図１４(ｂ)に示す２枚の表示パネル２１Ｃ，２１Ｄは、図９(ｃ)に示した取付例に該当するパネルであり、低い垂直パネルとしての横長の前面表示パネル２１Ｃと、前面に清涼飲料水等のイラスト１４１ｂが印刷された高い垂直パネルとしての横長の後面表示パネル２１Ｄとの２枚を組み合わせて使用するものである。さらに、表示パネル２１Ｃの前面に商品に関連する情報、例えば「売れ筋のラインナップ」等のキャッチフレーズを表示することができる。そして、前面表示パネル２１Ｃはその下部を前差込部１４２ｂとしてカップステージ１１の前面差込溝２２に差し込み、また後面表示パネル２１Ｄの下部を後差込部１４３ｂとしてカップステージ１１の後面差込溝２５に差し込むことで、各表示パネル２１Ｃ，２１Ｄをカップステージ１１に取り付けることができる。この場合、２台のカップステージ１１，１１を正面視左右方向に離間させて配置し、その間に前記各表示パネル２１Ｃ，２１Ｄを掛け渡して取り付けるものである。
【００７２】
よって、この際は、２枚の表示パネル２１Ｃ，２１Ｄを用いて、各々が左右方向に長い表示面積を有するだけでなく、離間させて配置した２台のカップステージ１１，１１の間に、１個または複数個の展示カップ１３を陳列することができる。このとき、陳列された展示カップ１３は両側のカップステージ１１では高く表示され、中央部が低く表示されて左右方向に高さが異なる独特の陳列表現が可能になる。
【００７３】
図１５は２台のカップステージ１１，１１に取り付けられる１枚の表示パネル２１を分解して示す斜視図である。ここに用いられる表示パネル２１は、図９(ｂ)に示した取付例に該当する１枚のパネルであり、パネルの所定の表面及び裏面には商品に関連する情報のイラスト１５１が印刷されている。さらに、表示パネル２１の一側（図中右側）には前面に切り起こし可能なイラスト掲示板１５２を有し、他側（図中左側）には展示カップ１３を支持するパネル開口部１５３を打ち抜き形成して設けている。そして、所定の各部を折曲げ、垂直な前面１５４と、水平な上面１５５と、垂直な後面１５６と、屋根状の天板１５７とにより飾り窓のように構成する。
【００７４】
このうち、垂直な前面１５４の下部を差込部１５８として両側に連設される各カップステージ１１，１１の前面差込溝２２に差し込み、後面１５６の下部を差込部１５９として一側（図中右側）の１台のカップステージ１１の後面差込溝２５に差し込むことで、表示パネル２１はカップステージ１１，１１の前面及び上面を覆って取り付けられる。さらに、垂直な前面１５４に対しては商品に関連する情報、例えば「いらっしゃいませ」などのキャッチフレーズを表示することができる。同じく、垂直な前面１５４の一側（図中右側）に起立させて表示されるイラスト掲示板１５２にも、商品に関連する情報、例えば「本日のおすすめ」などのキャッチフレーズを表示することができる。
【００７５】
これにより、２台のカップステージ１１，１１の正面視左右方向に長い表示面積を作ることができ、豊富な情報を表示することが可能になる。さらに、飾り窓風に構成して、表示パネル２１のイラスト１５１との相乗効果により自由度の高い特有な表現ができ、展示カップ１３を一際目立たせることができる。
【００７６】
図１６(ａ)は２台のカップステージ１１を組合せて使用する場合を示す正面図、図１６(ｂ)は３台のカップステージ１１を組合せて使用する場合を示す正面図、図１６(ｃ)は６台のカップステージ１１を組合せて使用する場合を示す正面図である。  
前記カップステージ１１は平面視正方形の平板台として使用される単体構成であり、この単体のカップステージ１１の複数個を上下方向に積み重ねて組合せることで高く大きな表示領域を確保できる。さらに、高さ方向に加えてカップステージ１１を左右方向に連設すれば、横方向の表示領域も大きくとることができる。
【００７７】
図１６(ａ)に示すカップステージ１１の積層構成例では、カップステージ１１を上下２段に積み重ねたものである。この場合は、カップステージ１１の高さが倍になり、展示カップ１３を高く表示させることができる。さらに、カップステージ１１の前面の表示領域も略倍にして表示することができる。このような積層構成を採用しても、カップステージ１１の後面側に備えられる上下の各磁石５４の吸着作用によって展示室１４の背景面１６に固定することができる（図５及び図６参照）。よって、自動販売機１２が仮に外力による振動等の影響を受けてもカップステージ１１は動かず安定した取付状態を維持する。
【００７８】
図１６(ｂ)は、図９(ｄ)に示した３台のカップステージ１１を用いた適用例に該当する。この図１６(ｂ)に示すカップステージ１１の積層構成例では、下段に土台となる２台のカップステージ１１を左右に連設し、上段の中央に１台のカップステージ１１を搭載して構成したものである。この場合もカップステージ１１の高さが倍になり、展示カップ１３を高く表示させることができる。さらに、カップステージ１１の前面の表示領域もカップステージ３台分に増やして表示することができる。このような積層構成を採用しても、カップステージ１１の後面側に備えられる上下の各磁石５４の吸着作用によって展示室１４の背景面１６に固定することができる（図５及び図６参照）。よって、自動販売機１２が仮に外力による振動等の影響を受けてもカップステージ１１は動かず安定した取付状態を維持する。
【００７９】
図１６(ｃ)に示すカップステージ１１の積層構成例では、下段に土台となる４台のカップステージ１１を左右方向に連設し、上段の中央に２台のカップステージ１１を左右に連設して構成したものである。この場合もカップステージ１１の高さが倍になり、展示カップ１３を高く表示させることができる。さらに、カップステージ１１の前面の表示領域をカップステージ６台分に増やして表示することができる。このような積層構成を採用しても、カップステージ１１の後面側に備えられる上下の各磁石５４の吸着作用によって展示室１４の背景面１６に固定することができる（図５及び図６参照）。よって、自動販売機１２が仮に外力による振動等の影響を受けてもカップステージ１１は動かず安定した取付状態を維持する。
【００８０】
前記波形挟持溝５３を構成する千鳥状配置の凸部５２の形状は、平面視四角形状に突出させた角柱状のものを示したが、図１７に示すように、平面視半円形状に突出させた半円形柱状の半円形凸部５２により構成することもできる。この半円形凸部５２を用いて波形挟持溝５３を形成すれば、外面に丸みを有して角がないため、ここに差し込まれる表示パネル２１との接触抵抗を小さくすることができる。よって、表示パネル２１を波形挟持溝５３に差し込み易くなるほか、表示パネル２１を溝方向にスライドさせて位置調整する場合にも円滑にスライドさせることができる。また、四角形状の突部５２と半円形凸部５２とを併用して波形挟持溝５３を構成することもできる。
【００８１】
さらに、表示パネル２１の固定に際して、溝内面５１の片側から係止用の係止突起を突設させておいて、該係止突起により溝内に差し込まれた表示パネル２１の下端を係止するようにしてもよい。また、そのときに表示パネル２１の下端に係止突起に対応する係止孔や係止凹部を開口しておいて、差込時に係止対応させて固定するようにしてもよい。さらに、溝内面５１に係止用の凹部を形成しておいて、ここに表示パネル２１の下端に突出形成した係止用の突部を嵌合させて係止するようにしてもよい。
【００８２】
この発明の構成と、上述の実施例との対応において、
この発明の展示見本品は、展示カップ１３に対応し、
以下同様に、
展示見本品台座は、カップステージ１１に対応し、
吸着固定手段は、磁石５４に対応し、
磁石取付部は、収納部５５に対応するも、
この発明は、上述の実施例の構成のみに限定されるものではなく、請求項に記載された技術思想に基づいて多くの実施の形態を得ることができる。例えば、上述の実施例では展示見本品の一例として展示カップ１３を示したが、このカップ型以外に、缶型、ボトル型等の展示見本品を表示しても、上述の実施例と同様の作用効果が得られる。
【図面の簡単な説明】
【００８３】
【図１】この発明の実施形態に係るカップステージを採用した自動販売機を示す外観斜視図。
【図２】カップステージの使用状態を拡大して示す外観斜視図。
【図３】カップステージに取り付けられる展示カップと表示パネルとを分解して示す斜視図。
【図４】展示カップをカップステージに搭載する取付構造を示す要部斜視図。
【図５】カップステージの平面図。
【図６】(ａ)はカップステージの側面図、(ｂ)は図５のＡ−Ａ線矢視断面図、(ｃ)は図５のＢ−Ｂ線矢視断面図。
【図７】(ａ)は差込溝の要部拡大斜視図、(ｂ)は差込溝に表示パネルを差し込んだ状態を示す説明図。
【図８】カップステージの周囲４辺の差込溝を選択して表示パネルを取り付けた各種の取付例を示す概略平面図。
【図９】カップステージの周囲４辺の差込溝を選択して表示パネルを取り付けた特殊な取付例を示す概略平面図。
【図１０】(ａ)はカップステージに取り付けられる展示カップと表示パネルとを分解して示す斜視図、(ｂ)はカップステージの使用状態を示す外観斜視図。
【図１１】(ａ)はカップステージに取り付けられる展示カップと表示パネルとを分解して示す斜視図、(ｂ)はカップステージの使用状態を示す外観斜視図。
【図１２】(ａ)は両側に表示パネル面を有するカップステージの使用状態を示す外観斜視図、(ｂ)はコ型状の表示パネルを有するカップステージの使用状態を示す外観斜視図。
【図１３】(ａ)はカップステージに取り付けられる横長の表示パネルの使用状態を示す外観斜視図、(ｂ)は左右スペースを大きくとった横長の表示パネルの使用状態を示す外観斜視図。
【図１４】(ａ)はカップステージに取り付けられる２枚の表示パネルを分解して示す斜視図、(ｂ)は２台のカップステージに取り付けられる２枚の表示パネルを分解して示す斜視図。
【図１５】２台のカップステージに取り付けられる１枚の表示パネルを分解して示す斜視図。
【図１６】(ａ)は２台のカップステージを組合せて使用する場合を示す正面図、(ｂ)は３台のカップステージを組合せて使用する場合を示す正面図、(ｃ)は６台のカップステージを組合せて使用する場合を示す正面図。
【図１７】半円形凸部により構成された波形挟持溝に表示パネルを差し込んだ状態を示す説明図。
【符号の説明】
【００８４】
１１…カップステージ
１３…展示カップ
２１…表示パネル
２２〜２５…差込溝
５１…溝内面
５２…凸部
５３…波形挟持溝
５３ａ…開放部
５４…磁石
５５…収納部
【図１】
2010015479.tif 000003
【図２】
2010015479.tif 000004
【図３】
2010015479.tif 000005
【図４】
2010015479.tif 000006
【図５】
2010015479.tif 000007
【図６】
2010015479.tif 000008
【図７】
2010015479.tif 000009
【図８】
2010015479.tif 000010
【図９】
2010015479.tif 000011
【図１０】
2010015479.tif 000012
【図１１】
2010015479.tif 000013
【図１２】
2010015479.tif 000014
【図１３】
2010015479.tif 000015
【図１４】
2010015479.tif 000016
【図１５】
2010015479.tif 000017
【図１６】
2010015479.tif 000018
【図１７】
2010015479.tif 000019